(57)【要約】【課題】バックアップされた素材をメディアから直接的に再生を可能であり、ファイルの途中からでも復元可能とする。【解決手段】映像ファイルおよび音声ファイルのデータを細分化して交互にインターリーブしてＡＶデータを得るＡＶ多重化部と、前記ＡＶデータから、前記ＡＶデータの所定の区間を再生するために必要なヘッダおよび、各フレームへのデータオフセット値とタイムコード等のメタデータを含む情報を抽出して、区間パラメータを生成し、前記ＡＶデータの前記所定の区間ごとに前記区間パラメータ情報を挿入したメディアストリームを出力する再生情報生成部と、前記メディアストリームに対してファイルの先頭および前記区間パラメータ情報ごとにマーカを付与して前記記録メディアに記録するデータ記録部とを備えたものである。【選択図】図１
2011008893.tif 000002
【特許請求の範囲】
【請求項１】
映像データおよび音声データを含む複数のファイルを記録メディアに記録可能な情報記録装置であって、
映像ファイルおよび音声ファイルのデータを細分化して交互にインターリーブして映像音声データを得る多重化部と、
前記映像音声データから、前記映像音声データの所定の区間を再生するために必要なヘッダおよびメタデータを含む情報を抽出して、区間パラメータを生成し、前記映像音声データの前記所定の区間ごとに前記区間パラメータ情報を挿入したメディアストリームを出力する再生情報生成部と、
前記メディアストリームに対してファイルの先頭および前記区間パラメータ情報ごとにマーカを付与して前記記録メディアに記録するデータ記録部とを備えた、情報記録装置。
【請求項２】
前記再生情報生成部は、
前記区間パラメータ情報を、対応する前記所定の区間の開始前と終了後に挿入する、請求項１記載の情報記録装置。
【請求項３】
ファイル識別部を、さらに備え、
前記ファイル識別部は、
入力されたファイルが前記映像および音声データである場合は、前記多重化部に前記ファイルを出力し、
入力されたファイルが前記映像および音声データ以外である場合は、前記再生情報生成部に前記ファイルを出力する、請求項１記載の情報記録装置。
【請求項４】
前記記録メディアは、磁気テープである、請求項１記載の情報記録装置。
【請求項５】
記録メディアからデータを読み出すデータ再生部と、
前記データ再生部で読み出したデータから前記区間パラメータ情報を抽出して映像音声データを再構成するとともに、多重化を解除して映像ファイルおよび音声ファイルを出力するデータ再構成部とを備えた、情報再生装置。
【請求項６】
前記データ再構成部は、
マーカの直後に前記区間パラメータ情報の存在の有無を判断し、存在しない場合に前記メディアストリームを加工を行わずにファイルに出力する、請求項５記載の情報再生装置。
【請求項７】
前記記録メディアは、磁気テープである、請求項５記載の情報再生装置。
【請求項８】
請求項１〜３のうちいずれか一項に記載の情報記録装置と、
請求項５または６に記載の情報再生装置とを備えた、情報記録再生装置。
【請求項９】
映像ファイルおよび音声ファイルのデータを細分化するステップと、
細分化したデータを交互にインターリーブして映像音声データを生成するステップと、
前記映像音声データから、前記映像音声データの所定の区間を再生するために必要なヘッダおよびメタデータを含む情報を抽出して区間パラメータを生成するステップと、
前記映像音声データの前記所定の区間ごとに前記区間パラメータ情報を挿入したメディアストリームを生成するステップとを含む、情報記録プログラム。
【請求項１０】
記録メディアから読み出したデータから区間パラメータ情報を抽出して映像音声データを再構成するステップと、
前記映像音声データの多重化を解除して映像ファイルおよび音声ファイルを出力するステップとを含む、情報再生プログラム。
【発明の詳細な説明】
【技術分野】
【０００１】
本発明は、映像及び音声データを途中からでも再生可能な形式でコンピュータのバックアップ用メディアに記録する情報記録装置、情報再生装置、情報記録再生装置、情報記録プログラム、および情報再生プログラムに関する。
【背景技術】
【０００２】
近年のデジタル技術の進展によって、映像素材や音声素材、静止画像や字幕などのメタデータを、デジタルデータとしてコンピュータで加工編集するノンリニア編集が普及してきた。ノンリニア編集において、素材はデータファイルとしてハードディスクドライブ（以下ＨＤＤと称する）に記録されている。
【０００３】
ＨＤＤは、記録容量に限りがあるため、必要に応じてＨＤＤ上のデータを入れ替える必要がある。既存の映像音声記録媒体であるビデオテープレコーダーでは、ノンリニア編集情報が保存できないため、ＨＤＤ上のデータの入れ替えにはコンピュータのデータバックアップ装置が使用される。コンピュータのデータバックアップ装置は、ＨＤＤ上の所望のファイルを外部記憶メディアに書き出し、もしくは読み込みを行うことができる。このバックアップ装置を用いることで、映像ファイルおよび音声ファイルや編集情報および映像音声以外のファイルを含めてファイル全体をバックアップすることができるため、後日再編集する場合にも全ての情報を完全に復元して再編集することができる。
【０００４】
ノンリニア編集機が利用するコンピュータのバックアップ装置は、以上のようなデータをファイル単位にバックアップ記録する動作か、あるいはファイル構造を無視して記録メディア上のアドレス順に各ファイルのデータを連続的に記録するかの、いずれかの動作となる。いずれの場合も、編集情報ファイルを含む映像および音声の全ての素材データをバックアップ記録可能である。
【０００５】
特許文献１は、アナログ音声信号をデジタル記憶媒体に記録する際に、アナログ音声信号がＴＯＣ（Table Of Contents）を持たない時は、途中から容易に再生可能なように信号をデジタル記憶媒体に記録する技術を開示している。
【先行技術文献】
【特許文献】
【０００６】
【特許文献１】特開平７−３２０４５４号公報
【発明の概要】
【発明が解決しようとする課題】
【０００７】
従来構成では、各ファイル（例えば映像ファイルと音声ファイル）はメディア上の物理的に離れた位置に記録される。したがって、テープドライブ等のランダムアクセスに時間を要すバックアップ装置である場合、前記メディアから直接的に映像と音声ファイルを再生することが不可能である。また、映像または音声を単体で再生する場合であっても、ファイルの途中から再生する場合には、ＣＯＤＥＣ情報などの再生に必要な情報をメディア上の離れた位置から読み出す必要があり、ユーザーが再生命令を入力してから実際に再生が開始されるまでに長時間を要する。
【０００８】
このため、記録した素材データを確認するためには、バックアップされたファイルの全体をノンリニア編集機のＨＤＤに復元して再生を行う必要がある。したがって、素材データの総量が増加するほど、ノンリニア編集機のＨＤＤに十分な空き容量が必要になるばかりでなく、バックアップメディアからの素材データの復元に多大な時間を費やす必要がある。
【０００９】
本発明は、上記の課題を解決するためになされたもので、バックアップされた素材をメディアから直接的に再生を可能であり、ファイルの途中からでも復元可能な情報記録装置、情報再生装置、情報記録再生装置、情報記録プログラム、および情報再生プログラムを提供することを目的とする。
【課題を解決するための手段】
【００１０】
本発明の情報記録装置は、映像および音声データを含む複数のファイルを記録メディアに記録可能な情報記録装置であって、映像ファイルおよび音声ファイルのデータを細分化して交互にインターリーブして映像音声データを得る多重化部と、前記映像音声データから、前記映像音声データの所定の区間を再生するために必要なヘッダおよびメタデータを含む情報を抽出して、区間パラメータを生成し、前記映像音声データの前記所定の区間ごとに前記区間パラメータ情報を挿入したメディアストリームを出力する再生情報生成部と、前記メディアストリームに対してファイルの先頭および前記区間パラメータ情報ごとにマーカを付与して前記記録メディアに記録するデータ記録部とを備えたものである。
【００１１】
本発明の情報再生装置は、記録メディアからデータを読み出すデータ再生部と、前記データ再生部で読み出したデータから前記区間パラメータ情報を抽出して映像音声データを再構成するとともに、多重化を解除して映像ファイルおよび音声ファイルを出力するデータ再構成部とを備えたものである。
【００１２】
本発明の情報記録プログラムは、映像ファイルおよび音声ファイルのデータを細分化するステップと、細分化したデータを交互にインターリーブして映像音声データを生成するステップと、前記映像音声データから、前記映像音声データの所定の区間を再生するために必要なヘッダおよびメタデータを含む情報を抽出して区間パラメータを生成するステップと、前記映像音声データの前記所定の区間ごとに前記区間パラメータ情報を挿入したメディアストリームを生成するステップとを含む。
【００１３】
本発明の情報再生プログラムは、記録メディアから読み出したデータから区間パラメータ情報を抽出して映像音声データを再構成するステップと、前記映像音声データの多重化を解除して映像ファイルおよび音声ファイルを出力するステップとを含む。
【発明の効果】
【００１４】
本発明によれば、バックアップされた素材をメディアから直接的に再生を可能である。また、素材データをファイルの途中からでも復元することができる。
【図面の簡単な説明】
【００１５】
【図１】本実施の形態にかかる情報記録再生装置のブロック図
【図２Ａ】素材ファイルの模式図
【図２Ｂ】ＡＶデータの模式図
【図２Ｃ】区間ＡＶデータの模式図
【図２Ｄ】区間パラメータ情報の模式図
【図２Ｅ】メディアストリームの模式図
【図２Ｆ】メディア上の論理データの模式図
【図３】再生動作のフローチャート
【発明を実施するための形態】
【００１６】
本実施の形態にかかる情報記録装置は、映像および音声データを含む複数のファイルを記録メディアに記録可能な情報記録装置であって、映像ファイルおよび音声ファイルのデータを細分化して交互にインターリーブして映像音声データを得る多重化部と、前記映像音声データから、前記映像音声データの所定の区間を再生するために必要なヘッダおよびメタデータを含む情報を抽出して、区間パラメータを生成し、前記映像音声データの前記所定の区間ごとに前記区間パラメータ情報を挿入したメディアストリームを出力する再生情報生成部と、前記メディアストリームに対してファイルの先頭および前記区間パラメータ情報ごとにマーカを付与して前記記録メディアに記録するデータ記録部とを備えたものである。
【００１７】
本実施の形態にかかる情報記録装置は、上記構成を基本として以下のような態様をとることができる。すなわち、情報記録装置において、前記再生情報生成部は、前記区間パラメータ情報を、対応する前記所定の区間の開始前と終了後に挿入する構成とすることができる。
【００１８】
本実施の形態にかかる情報記録装置は、ファイル識別部を、さらに備え、前記ファイル識別部は、入力されたファイルが前記映像および音声データである場合は、前記多重化部に前記ファイルを出力し、入力されたファイルが前記映像および音声データ以外である場合は、前記再生情報生成部に前記ファイルを出力する構成とすることができる。
【００１９】
本実施の形態にかかる情報記録装置において、前記記録メディアは、磁気テープである、構成とすることができる。
【００２０】
本実施の形態にかかる情報再生装置は、記録メディアからデータを読み出すデータ再生部と、前記データ再生部で読み出したデータから前記区間パラメータ情報を抽出して映像音声データを再構成するとともに、多重化を解除して映像ファイルおよび音声ファイルを出力するデータ再構成部とを備えたものである。
【００２１】
本実施の形態にかかる情報再生装置は、上記構成を基本として以下のような態様をとることができる。すなわち、情報再生装置において、前記データ再構成部は、マーカの直後に前記区間パラメータ情報の存在の有無を判断し、存在しない場合に前記メディアストリームを加工を行わずにファイルに出力する構成とすることができる。
【００２２】
本実施の形態にかかる情報再生装置において、前記記録メディアは、磁気テープである構成とすることができる。
【００２３】
本実施の形態にかかる情報記録プログラムは、映像ファイルおよび音声ファイルのデータを細分化するステップと、細分化したデータを交互にインターリーブして映像音声データを生成するステップと、前記映像音声データから、前記映像音声データの所定の区間を再生するために必要なヘッダおよびメタデータを含む情報を抽出して区間パラメータを生成するステップと、前記映像音声データの前記所定の区間ごとに前記区間パラメータ情報を挿入したメディアストリームを生成するステップとを含む。
【００２４】
本実施の形態にかかる情報再生プログラムは、記録メディアから読み出したデータから区間パラメータ情報を抽出して映像音声データを再構成するステップと、前記映像音声データの多重化を解除して映像ファイルおよび音声ファイルを出力するステップとを含む。
【００２５】
（実施の形態）
〔１．記録再生装置の構成〕
図１は、本発明の実施の形態にかかる記録再生装置の構成を示すブロック図である。本実施の形態の記録再生装置は、パーソナルコンピューターやデジタルビデオカメラなどのように動画像をファイル形式で保存可能な機器に接続が可能で、その動画像ファイルを磁気テープにバックアップが可能な装置である。本実施の形態では、バックアップする媒体として、ＬＴＯ（Linear Tape Open）規格に準拠した磁気テープを採用した。また、本実施の形態では、磁気テープに情報を記録する構成と磁気テープから情報を再生する構成とを含む情報記録再生装置について説明しているが、磁気テープに情報を記録する構成のみを含む情報記録装置、あるいは磁気テープから情報を再生する構成のみを含む情報再生装置にも本実施の形態は適用できる。
【００２６】
図１に示すように、記録再生装置は、ファイル識別部１０１、ＡＶ多重化部１０２、再生情報生成部１０３、データ記録部１０４、データ再生部１０５、ＡＶデータ再構成部１０６、および動画像再生部１０８を備えている。
【００２７】
ファイル識別部１０１は、入力端子１００から入力されるファイルが映像および音声データを含むファイルである場合、ＡＶ多重化部１０２に映像ファイル及び音声ファイルを出力する。ファイル識別部１０１は、入力端子１００から入力されるファイルが映像および音声データを含まないファイルである場合（テキストファイル等）、データ記録部１０４にファイルを出力する。
【００２８】
ＡＶ多重化部１０２は、ファイル識別部１０１から送られる映像ファイルおよび音声ファイルのデータを所定の規則に従って細分化して、交互にインターリーブしたＡＶデータを生成する。ＡＶ多重化部１０２は、生成したＡＶデータを再生情報生成部１０３へ出力する。
【００２９】
再生情報生成部１０３は、ＡＶ多重化部１０２から出力されるＡＶデータの一定区間ごとに区間パラメータ情報を生成し、生成した区間パラメータ情報をＡＶデータの区間ごとに挿入し、メディアストリームを生成する。再生情報生成部１０３は、生成したメディアストリームをデータ記録部１０４へ出力する。
【００３０】
データ記録部１０４は、再生情報生成部１０３から出力されるメディアストリームの先頭と区間パラメータ情報ごとにマーカを挿入する。データ記録部１０４は、マーカを挿入したメディアストリームを磁気テープ１１０に記録する。すなわち、データ記録部１０４は、ＬＴＯ規格に準拠した磁気テープ１１０に情報を書き込むことができるテープドライブを備えている。
【００３１】
データ再生部１０５は、磁気テープ１１０に記録されている情報を読み取り、メディアストリームまたはファイルを出力する。データ再生部１０５は、磁気テープ１１０から読み取った情報がメディアストリームである場合はメディアストリームをＡＶデータ再構成部１０６に出力し、磁気テープ１１０から読み取った情報がメディアストリーム以外のファイル（例えばテキストファイル）の場合はファイルを出力端子１０７ｄへ出力する。
【００３２】
ＡＶデータ再構成部１０６は、入力されたメディアストリームから区間パラメータ情報を取り除いてＡＶデータを再構成する。ＡＶデータ再構成部１０６は、ＡＶデータの多重化を解除し、映像ファイルおよび音声ファイルを復元して出力する。
【００３３】
動画像再生部１０８は、ＡＶデータ再構成部１０６から出力される映像ファイルおよび音声ファイルを再生してモニタなどに出力する。
【００３４】
〔２．記録動作〕
図２Ａは、ファイル識別部１０１から出力される映像ファイルと音声ファイルの構造を模式的に示した図である。図２Ａに示すように、映像ファイルは、ヘッダ部２０１とデータ部２０２とを含む。音声ファイルは、ヘッダ部３０１とデータ部３０２とを含む。なお、以下の説明において、映像ファイルと音声ファイルとを併せて素材ファイルと呼ぶことがある。図２Ｂは、ＡＶ多重化部１０２から出力されるＡＶデータの構造を模式的に示した図である。
【００３５】
パソコンなどから入力端子１００に入力されたファイルは、ファイル識別部１０１に入力される。ファイル識別部１０１は、入力されたファイルの内容を識別し、映像及び音声データを含むファイルであることを検出した場合は、ファイルをＡＶ多重化部１０２へ出力する。一方、ファイル識別部１０１は、入力されたファイルが映像及び音声データを含むファイル以外のファイルであることを検出した場合は、ファイルをデータ記録部１０４へ出力する。ファイル識別部１０１におけるファイルの識別方法は、例えばファイルのヘッダ情報を参照したり、ファイル名に付随する拡張子を参照したりすることで、ファイルの種類を識別することができる。
【００３６】
ＡＶ多重化部１０２では、図２Ａに示す映像ファイルおよび音声ファイルに基づきＡＶデータを生成する。具体的には、図２Ｂに示すように、映像ファイルのヘッダ部２０１及び音声ファイルのヘッダ部３０１をＡＶデータの先頭に配置し、ヘッダ部３０１の直後から映像ファイルのデータ部２０２と音声ファイルのデータ部３０２を細分化して交互に配置する。図２Ｂにおける「Ｖ」は細分化された映像ファイル（以下Ｖデータと称する）を示し、「Ａ」は細分化された音声ファイル（以下Ａデータと称する）を示している。なお、本実施の形態では、１つのＶデータ２０２ａと１つのＡデータ３０２ａとを併せて、ＬＴＯ規格の論理ブロックサイズである６４キロバイトのデータサイズを有する単位で細分化する。このように論理ブロックサイズの整数倍に細分化することで、細分化によるオーバーヘッドを抑制して記録メディアの利用効率を最大化することが好ましい。ＡＶ多重化部１０２は、生成したＡＶデータを再生情報生成部１０３へ出力する。
【００３７】
再生情報生成部１０３は、ＡＶ多重化部１０２から出力されるＡＶデータ（図２Ｂ参照）の一定区間ごとに区間パラメータ情報を挿入する。具体的には、まず、図２Ｃに示すように、ＡＶデータを所定の区間（例えば映像３００フレーム分の区間）に存在するＡＶデータを区間ＡＶデータＡＶｎとして分割処理する。ここで、ｎは区間を表す番号である。また、図２Ｄに示すように、区間ＡＶデータを再生するための映像パラメータ情報ＶＰｎと音声パラメータ情報ＡＰｎを含むパラメータとして、区間パラメータ情報ＰＰｎを定義する。区間パラメータ情報ＰＰｎには、フレームサイズ、ビット深度、周波数、ＣＯＤＥＣ情報などのヘッダ情報と、各フレームの先頭データへのアドレス情報、タイムスタンプ、クリップ情報などのメタデータを含む。再生情報生成部１０３では、図２Ｄに示すように区間パラメータ情報ＰＰｎを区間ＡＶデータＡＶｎの前後に挿入し、データ順の逆方向の参照をできるように配置する。すなわち、ＬＴＯ規格に準拠したバックアップ装置は、磁気テープをその長手方向に往復移送させながら情報を記録または再生する構造であるため、図２Ｄに示すデータ順の逆方向の参照を可能にしておくことが好ましい。したがって、区間パラメータ情報ＰＰｎを挿入したデータ列は、図２Ｅに示すようにＡＶデータに区間パラメータ情報ＰＰｎを挿入した形態となる。このデータ形態をメディアストリームと呼ぶこととする。
【００３８】
データ記録部１０４は、メディアストリーム（図２Ｅ参照）の先頭とＡＶデータが現れるごとにマーカを挿入する。データ記録部１０４は、マーカを挿入したメディアストリームを磁気テープ１１０に記録する。例えば、マーカＭｎの配置は、図２Ｆに示すようにストリームの先頭（図２ＦではＭ０）およびＡＶデータの位置（図２ＦではＭ１〜Ｍｎ）を識別できるように配置する。
【００３９】
なお、本実施の形態においては、映像ファイルと音声ファイルとを互いに独立したファイルとして入力する例を挙げているが、記録メディア上で再生可能な形式に多重化された素材でもよく、この場合はＡＶ多重化部１０２における多重化処理は省略することができる。
【００４０】
また、図２Ａに示すように素材ファイルは、映像及び音声のヘッダ情報がファイルの先頭に位置しているが、この形態に限定するものではなく、ファイルの終端や先頭と終端の両方、あるいはファイルの中に特定のフレーム間隔などに分散して記録されていても良い。
【００４１】
また、ＡＶ多重化部１０２では、１つのＶデータ２０２ａと１つのＡデータ３０２ａとを併せて６４キロバイトのデータサイズを有する単位で細分化したが、Ｖデータの圧縮構造単位で細分化して論理ブロックの先頭から記録してもよい。前記圧縮構造単位は単独で再生可能なデータの最小単位とし、例えばＭＰＥＧ−２規格（MPEG:Motion Picture Expert Group）におけるＧＯＰ（Group Of Picture）単位（一般的に０．５秒分のフレームのデータを含む）である。これにより再生動作において短い時間幅のシークを行う場合、論理ブロックの先頭からＶデータが始まるブロックを検出することで容易に時間幅を見積もることができるため、シーク処理が簡略化する効果を得ることができる。
【００４２】
また、再生情報生成部１０３では、所定の区間として一定フレーム数（一定時間）として述べたが一定データ量などでもよい。例えば一定データ量とした場合、可変ビットレートで記録された映像ファイルおよび音声ファイルを記録した際に、各区間のシーク時間を均一にする効果を得ることができる。
【００４３】
本実施の形態によれば、映像ファイルおよび音声ファイルを多重化したＡＶストリームに区間パラメータ情報を挿入することによって、記録メディアから映像データと音声データおよび再生に必要なパラメータ情報を同期的に読み出し可能なメディアストリームが記録できる。さらに、映像・音声データ以外のファイルを記録することもできるため、従来のデータバックアップも行うことができる。
【００４４】
本実施の形態で作成した記録メディアを用いることで、従来のバックアップ装置と同様のファイル全体を復元する動作に加えて、映像ファイルおよび音声ファイルの一部分の復元動作と動画像の再生が可能である。
【００４５】
〔３．再生動作〕
図３は、再生動作のフローチャートである。以下、本実施の形態の記録再生装置における再生動作について説明する。
【００４６】
データ再生部１０５は、外部からのファイルの選択および再生操作により、磁気テープ１１０を走行駆動させて磁気テープ１１０に記録されている情報を読み取る（Ｓ１）。データ再生部１０５は、磁気テープ１１０から読み取った情報がメディアストリームである場合は、メディアストリームとＬＴＯ規格ドライブから得たマーカ検出情報とをＡＶデータ再構成部１０６へ出力する。ここで、ＡＶデータの特定のフレームから再生する場合には、フレーム番号を前記所定の区間で除算することにより直近に存在するマーカ番号を算出し、該当するマーカ番号へのシーク命令をドライブに発行して再生を開始することができる（Ｓ２）。
【００４７】
ＡＶデータ再構成部１０６は、再生するデータに応じた再構成動作を行う。具体的には、データ再生部１０５は、マーカ直後の映像・音声ヘッダおよび区間パラメータ情報の有無に応じて、動作形態を異なるものとする（Ｓ３）。
【００４８】
ここで、映像・音声ヘッダと区間パラメータ情報とは同時に現れないため、下記の３種の形態となる。
【００４９】
まず、第１の動作形態は、メディアストリームのマーカ検出情報の直後に映像・音声ヘッダや区間パラメータ情報が存在しない場合である。この場合、ＡＶデータ再構成部１０６は、続くマーカ検出情報が検出されるまでＡＶデータをそのままファイル形式で出力する。ファイルは、出力端子１０７ａから出力される。また、磁気テープ１１０から読み出されたファイルがテキストファイル等のようにメディアストリーム以外の場合も、そのままのファイル形式の状態で出力端子１０７ａから出力される（Ｓ４）。
【００５０】
第２の動作形態は、入力されるメディアストリームから最初に得られたマーカ検出情報の直後に映像・音声ヘッダがある場合である（Ｓ３及びＳ５でＹＥＳ判断）。この場合、ＡＶデータ再構成部１０６は、メディアストリームから区間パラメータ情報を取り除いて、ＡＶデータを動画像再生部１０８および出力端子１０７ａに出力する（Ｓ６）。出力端子１０７ａに出力されるＡＶデータは、ファイル形式で外部（パソコン等）に出力される。また、区間パラメータ情報ＰＰｎの直近にＰＰｎ−１あるいはＰＰｎ＋１が存在しない時、ＡＶデータの終端を認識して出力を停止する。
【００５１】
第３の動作形態は、入力されるメディアストリームから最初に得られたマーカ検出情報の直後に区間パラメータ情報がある場合である（Ｓ３でＹＥＳ判断、Ｓ５でＮＯ判断）。つまり、メディアストリームを先頭以外から読み出す場合となる。このとき、ＡＶデータ再構成部１０６は、区間パラメータＰＰｎから映像パラメータ情報ＶＰｎと音声パラメータ情報ＡＰｎを分離し、前記パラメータ情報からＡＶデータの再生に必要な解像度情報やＣＯＤＥＣ情報などを含む映像・音声ヘッダを生成し、動画像再生部１０８および出力端子１０７ａに出力する。また、区間パラメータ情報ＰＰｎの直近にＰＰｎ−１あるいはＰＰｎ＋１が存在しない時、ＡＶデータの終端を認識して出力を停止する。このようにメディアストリームの先頭以外の場合でもパラメータ情報から映像・音声ヘッダを生成するため、ファイルの部分復元や映像・音声の再生が可能である（Ｓ７）。
【００５２】
なお、ＡＶデータ再構成部１０６は、第２および第３の動作形態においてＡＶデータを動画像再生部１０８と出力端子１０７ａとに出力しているが、外部からの操作に応じて動画像再生部１０８と出力端子１０７ａのうちのいずれか一方のみとしても良い。すなわち、出力を動画像再生部１０８のみとすることで、ＡＶデータをファイル形式に復元することなく動画像の再生を行うこともできる。
【００５３】
本実施の形態によるとコンピュータのファイルバックアップ装置において、区間パラメータ情報を生成して記録することにより、映像ファイルおよび音声ファイルの全体だけでなく一部分をファイルに復元可能となる。また、区間ＡＶデータの後方に配置した区間パラメータ情報により、磁気テープを逆方向に走行させた時も再生が可能である。
【００５４】
さらに、動画像再生において特定のフレームの頭出しに区間ＡＶデータごとに記録したマーカを利用することで、メディアストリームの先頭から後方のデータを全て走査して該当フレームを探索する場合と比較して処理時間を短縮するだけでなく、不要なＡＶデータを読み出す必要がないためデータバスの使用率をも削減することもできる。
【００５５】
〔４．実施の形態の効果、他〕
本実施の形態によれば、映像・音声素材を含むＡＶデータから所定の区間ごとに動画像の再生に必要な区間パラメータ情報を挿入したメディアストリームを生成して記録メディアに記録し、再生時には区間パラメータ情報を抽出してＡＶデータに再構成することで、素材データをファイルの途中からでも復元することができるほか、記録メディアから順方向だけでなく逆方向からも再生を行うことができる。
【００５６】
なお、本実施の形態では、区間ＡＶデータＡＶｎのサイズを３００フレームとしたが、ＬＴＯドライブに搭載されているキャッシュメモリの容量に応じて可変させてもよい。この場合は、区間ＡＶデータＡＶｎのサイズを少なくともキャッシュサイズよりも小さくする。
【００５７】
また、本実施の形態では、情報記録再生装置について説明したが、情報記録装置あるいは情報再生装置にも適用できる。情報記録装置は、例えば図１におけるファイル識別部１０１、ＡＶ多重化部１０２、再生情報生成部１０３、およびデータ記録部１０４を備えた構成とすることができる。情報再生装置は、例えば図１におけるデータ再生部１０５、ＡＶデータ再構成部１０６、および動画像再生部１０８を備えた構成とすることができる。
【００５８】
また、本実施の形態では、ファイル識別部１０１、ＡＶ多重化部１０２、再生情報生成部１０３をハードウェア構成で実現したが、ソフトウェアプログラム（情報記録プログラム）で実現することができる。また、本実施の形態では、ＡＶデータ再構成部１０６および動画像再生部１０８をハードウェア構成で実現したが、ソフトウェアプログラム（情報再生プログラム）で実現することができる。
【００５９】
また、本実施の形態におけるＡＶ多重化部１０２は、本発明の多重化部の一例である。本実施の形態における再生情報生成部１０３は、本発明の再生情報生成部の一例である。本実施の形態におけるデータ記録部１０４は、本発明のデータ記録部の一例である。本実施の形態におけるデータ再生部１０５は、本発明のデータ再生部の一例である。本実施の形態におけるＡＶデータ再構成部１０６は、本発明のデータ再構成部の一例である。本実施の形態におけるファイル識別部１０１は、本発明のファイル識別部の一例である。
【産業上の利用可能性】
【００６０】
本発明にかかる動画像記録装置および再生装置は、映像および音声素材を含むＡＶデータを、所定の区間ごとに動画像の再生に必要なパラメータ情報を挿入したメディアストリームを記録した結果、バックアップ記録用メディアから直接的に映像および音声の再生ができるほか、ＡＶデータをファイルの途中からでも復元することができるため、高画質な画像を多量に扱う業務用映像機器等にも適用可能である。
【符号の説明】
【００６１】
１０１  ファイル識別部
１０２  ＡＶ多重化部
１０３  再生情報生成部
１０４  データ記録部
１０５  データ再生部
１０６  ＡＶデータ再構成部
１０７  動画像再生部
【図１】
2011008893.tif 000003
【図２Ａ】
2011008893.tif 000004
【図２Ｂ】
2011008893.tif 000005
【図２Ｃ】
2011008893.tif 000006
【図２Ｄ】
2011008893.tif 000007
【図２Ｅ】
2011008893.tif 000008
【図２Ｆ】
2011008893.tif 000009
【図３】
2011008893.tif 000010